(57)【要約】【課題】本発明は、エネルギーの損失を抑え、運転速度を速めてエネルギー変換効率を大幅に向上させるインタラクティブ電磁装置を提供する。【解決手段】磁気機能ユニットと、磁気機能ユニットと平行する磁気誘導ユニットと、磁気機能ユニットと磁気誘導ユニットの間に設けられる誘導コイルユニットと、感応スイッチモジュールと、からなる。磁気機能ユニットは、少なくとも２つ間隔を空けて配列された磁性部品により構成され、複数の磁性部品の磁極は誘導コイルユニットに対応し、磁性部品と隣り合う磁極は異極配列される。磁気誘導ユニットは、少なくとも２つ間隔を空けて配列された磁性部品により構成され、複数の磁性部品の両端の磁極は運動方向と平行であることで、誘導コイルユニットは、単一端の逆向き磁気抵抗のみを生じさせ、感応スイッチモジュールのスイッチ動作により誘導コイルユニットの他端に磁気アシストを形成する。【選択図】図１
2018538781.tif 000002
【特許請求の範囲】
【請求項１】
誘導コイルユニットと、磁気機能ユニットと、磁気誘導ユニットと、感応スイッチモジュールと、からなるインタラクティブ電磁装置であって、      
前記誘導コイルユニットは、少なくとも１つのコイルを備え、
前記磁気機能ユニットは、誘導コイルユニットの一端に設けられるとともに、前記磁気機能ユニットは、前記誘導コイルユニットに相対して作動し、発電作用を生じさせ、さらに、前記磁気機能ユニットは、少なくとも２つ間を空けて配列された磁性部品によって構成され、第１磁性部品及び第２磁性部品とそれぞれ定義され、さらに、第１磁性部品、第２磁性部品は、２つの磁極が並列されている、つまり、上下の磁極軸と運動方向は、垂直に交差した状態であり、さらに、第１磁性部品、第２磁性部品によって、すべての磁極は前記誘導コイルユニットのコイル軸に対応するとともに、第１磁性部品、第２磁性部品と隣り合う磁極は異極配列され、
前記磁気誘導ユニットは、誘導コイルユニットにおける磁気機能ユニットとは別の一端に設けられるとともに、前記磁気誘導ユニットは、磁気機能ユニットと並行して誘導コイルユニットに相対して運動し、前記磁気誘導ユニットは、少なくとも２つ間隔を空けて配列された磁性部品によって構成され、第３磁性部品及び第４磁性部品とそれぞれ定義され、さらに、第３磁性部品、第４磁性部品は２つの磁極が相対している、つまり磁性部品における左右の磁極軸と運動方向は平行状態であり、さらに、第３磁性部品、第４磁性部品は、磁気機能ユニットにおける隣り合う第２磁性部品、第１磁性部品と第１磁性部品、第２磁性部品の間の位置にそれぞれ対応するとともに、前記第３磁性部品、第４磁性部品の両端における磁極表面の延長線は、第１磁性部品、第２磁性部品における磁極の異なる両側の表面の延長線と重なり、さらに、第３磁性部品、第４磁性部品と隣り合う磁極は、同極が隣り合う状態であるとともに、磁気機能ユニットの第１磁性部品、第２磁性部品の異極と相対し、
前記感応スイッチモジュールにおける前記誘導コイルユニットに対応するコイル軸のコイル上には感応ユニットが設けられ、前記感応スイッチモジュールにおける第１磁性部品、第２磁性部品に対応して相対変位しコイルに入る一側には、前記感応ユニットを検出する導電検出ユニットがそれぞれ設けられるとともに、第１磁性部品、第２磁性部品に対応して相対変位しコイルから離れる一側には、前記感応ユニットを検出する電源断検出ユニットがそれぞれ設けられることにより、コイルと負荷の間における導通または遮断の動作信号を制御する
ことを特徴とする、インタラクティブ電磁装置。
【請求項２】
前記磁気機能ユニットの第１磁性部品がＮ極磁極で誘導コイルユニットに対応する場合、第３磁性部品、第４磁性部品は、Ｓ極磁極で相対するとともに、前記第１磁性部品のＮ極磁極に対応し、第２磁性部品がＳ極磁極で誘導コイルユニットに対応する場合、第３磁性部品、第４磁性部品は、Ｎ極磁極で相対するとともに、前記第２磁性部品のＳ極磁極に対応する
ことを特徴とする、請求項１に記載のインタラクティブ電磁装置。
【請求項３】
誘導コイルユニットと、磁気機能ユニットと、磁気誘導ユニットと、感応スイッチモジュールと、からなるインタラクティブ電磁装置であって、
前記誘導コイルユニットは、少なくとも１つのコイルを備え、
前記磁気機能ユニットは、誘導コイルユニットの一端に設けられるとともに、前記磁気機能ユニットは、前記誘導コイルユニットに相対して作動し、発電作用を生じさせ、さらに、前記磁気機能ユニットは、少なくとも２つ間を空けて配列された磁性部品によって構成され、第１磁性部品及び第２磁性部品とそれぞれ定義され、さらに、第１磁性部品、第２磁性部品は、２つの磁極が並列されている、つまり、上下の磁極軸と運動方向は垂直に交差した状態であり、さらに、第１磁性部品、第２磁性部品によって、すべての磁極は前記誘導コイルユニットのコイル軸に対応するとともに、第１磁性部品、第２磁性部品と隣り合う磁極は異極配列され、
前記磁気誘導ユニットは、誘導コイルユニットにおける磁気機能ユニットとは別の一端に設けられるとともに、前記磁気誘導ユニットは、磁気機能ユニットと並行して誘導コイルユニットに相対して運動し、また、前記磁気誘導ユニットは、少なくとも２つ間隔を空けて配列された磁性部品によって構成され、第３磁性部品及び第４磁性部品とそれぞれ定義され、さらに、第３磁性部品、第４磁性部品は２つの磁極が相対している、つまり磁性部品における左右の磁極軸と運動方向は平行状態であり、さらに、第３磁性部品、第４磁性部品は、磁気機能ユニットにおける隣り合う第２磁性部品、第１磁性部品と第１磁性部品、第２磁性部品の間の位置にそれぞれ対応するとともに、前記第３磁性部品、第４磁性部品の両端における磁極表面の延長線は、第１磁性部品、第２磁性部品における磁極の異なる両側の表面の延長線と重なり、さらに第３磁性部品、第４磁性部品と隣り合う磁極は、同極が隣り合う状態であるとともに、磁気機能ユニットの第１磁性部品、第２磁性部品の同極と相対し、
前記感応スイッチモジュールにおける前記誘導コイルユニットに対応するコイル軸のコイル上には感応ユニットが設けられ、前記感応スイッチモジュールにおける磁気機能ユニットの第１磁性部品、第２磁性部品が変位しコイルに入る一側には、前記感応ユニットを検出する電源断検出ユニットがそれぞれ設けられ、第１磁性部品、第２磁性部品におけるコイルから離れる一側には、前記感応ユニットを検出する導電検出ユニットがそれぞれ設けられることにより、コイルと負荷の間における導通または遮断の動作信号を制御する
ことを特徴とする、インタラクティブ電磁装置。
【請求項４】
前記磁気機能ユニットの第１磁性部品がＮ極磁極で誘導コイルユニットに対応する場合、第３磁性部品、第４磁性部品は、Ｎ極磁極で相対するとともに、前記第１磁性部品のＮ極磁極に対応し、第２磁性部品がＳ極磁極で誘導コイルユニットに対応する場合、第３磁性部品、第４磁性部品は、Ｓ極磁極で相対するとともに、前記第２磁性部品のＳ極磁極に対応する
ことを特徴とする、請求項３に記載のインタラクティブ電磁装置。
【請求項５】
誘導コイルユニットと、磁気機能ユニットと、磁気誘導ユニットと、感応スイッチモジュールと、からなるインタラクティブ電磁装置であって、
前記誘導コイルユニットは、少なくとも１つのコイルを備え、
前記磁気機能ユニットは、誘導コイルユニットの一端に設けられるとともに、前記磁気機能ユニットは、前記誘導コイルユニットに相対して作動し、発電作用を生じさせ、さらに、前記磁気機能ユニットは、少なくとも２つ間を空けて配列された磁性部品によって構成され、第１磁性部品及び第２磁性部品とそれぞれ定義され、さらに、第１磁性部品、第２磁性部品は、２つの磁極が並列されている、つまり、上下の磁極軸と運動方向は、垂直に交差した状態であり、さらに、第１磁性部品、第２磁性部品によって、すべての磁極は前記誘導コイルユニットのコイル軸に対応するとともに、第１磁性部品、第２磁性部品と隣り合う磁極は異極配列され、
前記磁気誘導ユニットは、誘導コイルユニットにおける磁気機能ユニットとは別の一端に設けられるとともに、前記磁気誘導ユニットは、磁気機能ユニットと並行して誘導コイルユニットに相対して運動し、また、前記磁気誘導ユニットは、少なくとも２つ間隔を空けて配列された磁性部品によって構成され、第３磁性部品及び第４磁性部品とそれぞれ定義され、さらに、第３磁性部品、第４磁性部品は２つの磁極が相対している、つまり磁性部品における左右の磁極軸と運動方向は平行状態であり、さらに、第３磁性部品、第４磁性部品は、磁気機能ユニットにおける隣り合う第２磁性部品、第１磁性部品と第１磁性部品、第２磁性部品の間の位置にそれぞれ対応するとともに、前記第３磁性部品、第４磁性部品の両端における磁極表面の延長線は、第１磁性部品、第２磁性部品における磁極の異なる両側の表面の延長線と重なり、隣り合う第３磁性部品、第４磁性部品の磁極は、異極が隣り合う状態であり、第１磁性部品がＮ極磁極で誘導コイルユニットに対応する場合、第３磁性部品は、Ｓ極磁極で第４磁性部品のＮ極磁極に対応し、第２磁性部品がＳ極磁極で誘導コイルユニットに対応する場合、第３磁性部品は、Ｎ極磁極で第４磁性部品のＳ極磁極に相対し、
前記感応スイッチモジュールにおける前記誘導コイルユニットに対応するコイル軸のコイル上には感応ユニットが設けられ、前記感応スイッチモジュールにおける第１磁性部品に対応して変位し、コイルに入り、コイルから離れる両側には、感応ユニットを検出する電源断検出ユニットがそれぞれ設けられ、第１磁性部品のＮ極磁極の中心には、感応ユニットを検出する導電検出ユニットが設けられるとともに、第２磁性部品における変位し、コイルに入り、コイルから離れる両側には、感応ユニットを検出する導電検出ユニットがそれぞれ設けられ、さらに、第２磁性部品のＳ極磁極の中心には、感応ユニットを検出する電源断検出ユニットが設けられることにより、コイルと負荷の間における導通または遮断の動作信号を制御する
ことを特徴とする、インタラクティブ電磁装置。
【請求項６】
誘導コイルユニットと、磁気機能ユニットと、磁気誘導ユニットと、感応スイッチモジュールと、からなるインタラクティブ電磁装置であって、
前記誘導コイルユニットは、少なくとも１つのコイルを備え，
前記磁気機能ユニットは、誘導コイルユニットの一端に設けられるとともに、前記磁気機能ユニットは、前記誘導コイルユニットに相対して作動し、発電作用を生じさせ、さらに、前記磁気機能ユニットは、少なくとも２つ間を空けて配列された磁性部品によって構成され、第１磁性部品及び第２磁性部品とそれぞれ定義され、さらに、第１磁性部品、第２磁性部品は、２つの磁極が並列されている、つまり、上下の磁極軸と運動方向は垂直に交差した状態であり、さらに、第１磁性部品、第２磁性部品によって、すべての磁極は前記誘導コイルユニットのコイル軸に対応するとともに、第１磁性部品、第２磁性部品と隣り合う磁極は異極配列され、
前記磁気誘導ユニットは、誘導コイルユニットにおける磁気機能ユニットとは別の一端に設けられるとともに、前記磁気誘導ユニットは、磁気機能ユニットと並行して誘導コイルユニットに相対して運動し、また、前記磁気誘導ユニットは、少なくとも２つ間隔を空けて配列された磁性部品によって構成され、第３磁性部品及び第４磁性部品とそれぞれ定義され、さらに、第３磁性部品、第４磁性部品は２つの磁極が相対している、つまり磁性部品における左右の磁極軸と運動方向は平行状態であり、さらに、第３磁性部品、第４磁性部品は、磁気機能ユニットにおける隣り合う第２磁性部品、第１磁性部品と第１磁性部品、第２磁性部品の間の位置にそれぞれ対応するとともに、前記第３磁性部品、第４磁性部品の両端の磁極表面の延長線は、第１磁性部品、第２磁性部品における磁極の異なる両側の表面の延長線と重なり、隣り合う第３磁性部品、第４磁性部品の磁極は、異極が隣り合う状態であり、さらに、第１磁性部品がＮ極磁極で誘導コイルユニットに対応する場合、第３磁性部品は、Ｎ極磁極で第４磁性部品のＳ極磁極に対応し、第２磁性部品がＳ極磁極で誘導コイルユニットに対応する場合、第３磁性部品は、Ｓ極磁極で第４磁性部品のＮ極磁極に相対し、
前記感応スイッチモジュールにおける前記誘導コイルユニットに対応するコイル軸のコイル上には感応ユニットが設けられ、さらに、前記感応スイッチモジュールにおける第１磁性部品に対応して変位し、コイルに入り、コイルから離れる両側には、感応ユニットを検出する導電検出ユニットがそれぞれ設けられ、第１磁性部品のＮ極磁極の中心には、感応ユニットを検出する電源断検出ユニットが設けられるとともに、第２磁性部品における変位し、コイルに入り、コイルから離れる両側には、感応ユニットを検出する電源断検出ユニットがそれぞれ設けられ、さらに、第２磁性部品のＳ極磁極の中心には、感応ユニットを検出する導電検出ユニットが設けられることにより、コイルと負荷の間における導通または遮断の動作信号を制御する
ことを特徴とする、インタラクティブ電磁装置。
【発明の詳細な説明】
【技術分野】
【０００１】
本発明は、エネルギーを変換する電磁の技術分野に関し、具体的には、逆向き磁気抵抗の増加を抑えることができるとともに、順方向の磁気アシストを発生させることにより、エネルギーの損失を抑え、運転速度を速めることで、そのエネルギー変換効率を向上させるという目的を達成することのできるインタラクティブ電磁装置に関する。
【背景技術】
【０００２】
一般に、電磁裝置の２つの相対する磁気ユニットの間には、誘導コイルユニットが設けられるとともに、磁気ユニットと誘導コイルユニットは、それぞれ相対的に運動するロータ及びステータと定義することができる。そのうち、２つの磁気ユニットは、磁極が相反する誘導コイルユニットの磁性部品を配列することによって形成され、磁気ユニットの磁性部品の磁極を誘導コイルユニットに対応させる（つまり、磁力線が運動方向に対して垂直に交差するようにする）。磁力線が磁極におけるコイル付近に密集することで、前記電磁裝置が相対的に運動する状況下で、磁力線が誘導コイルユニットを切断して発電作用を生じさせると、前記誘導コイルユニットは、負荷状態になり、電流を生成する。さらに、励磁誘導によって電磁石が形成されることで、誘導コイルユニットの両端の磁極も強くなり、相対的に運動する磁気ユニットにおける磁性部品の磁極は、運動方向である前方向と異なる逆向き磁気抵抗を形成する。
【０００３】
言い換えると、従来の電磁裝置は、発電負荷においてその誘導コイルユニットの両端がそれぞれ逆向き磁気抵抗を増加させる、つまり、２つの逆向き磁気抵抗を備える。このように、作動中の電磁裝置は、磁気ユニットが誘導コイルユニットの両端の逆向き磁気抵抗の影響を同時に受けることで、前進するのに不利な逆力が形成されることにより、大幅な運動エネルギーの損失を引き起こし、電磁裝置全体のエネルギーの変換に影響を及ぼす。よって、この問題をいかに改善するかについて、業界は開発者に強く期待している。
【０００４】
上述に鑑みて、本発明者は、上述の従来電磁裝置の応用において直面している問題について深く研究するとともに、関連業界に従事した長年の経験をもとに、積極的に解決の道を探り、研究と試作の努力を重ねた結果、ついにインタラクティブ電磁装置の開発に成功し、従来技術における増加した逆向き磁気抵抗によって引き起こされる悩みと損失を改善することができた。
【発明の概要】
【発明が解決しようとする課題】
【０００５】
本発明は、主に、誘導コイルユニットによって増加する逆向き磁気抵抗を抑制することで、運動エネルギーの損失を抑え、そのエネルギー変換率を向上させることのできるインタラクティブ電磁装置を提供することを目的とする。
【０００６】
さらに、本発明は、主に、順方向の磁気アシストを形成させることができ、効果的に運転速度を速め、さらにそのエネルギー変換率を向上させるインタラクティブ電磁装置を提供することを目的とする。
【課題を解決するための手段】
【０００７】
これらに基づいて、本発明は、主に、以下に挙げる技術手段によって、上述の目的及びその効果を実現する。
【０００８】
インタラクティブ電磁装置は、誘導コイルユニットと、磁気機能ユニットと、磁気誘導ユニットと、感応スイッチモジュールと、からなる。
【０００９】
前記誘導コイルユニットは、少なくとも１つのコイルを備える。
【００１０】
前記磁気機能ユニットは、誘導コイルユニットの一端に設けられるとともに、前記磁気機能ユニットは、前記誘導コイルユニットに相対して作動し、発電作用を生じさせることができる。さらに、前記磁気機能ユニットは、少なくとも２つ間を空けて配列された磁性部品によって構成され、それは、第１磁性部品及び第２磁性部品とそれぞれ定義される。さらに、第１磁性部品、第２磁性部品は、２つの磁極が並列されている、つまり、上下の磁極軸と運動方向は垂直に交差した状態であり、さらに、第１磁性部品、第２磁性部品によって、すべての磁極は前記誘導コイルユニットのコイル軸に対応するとともに、第１磁性部品、第２磁性部品と隣り合う磁極は異極配列している。
【００１１】
磁気誘導ユニットは、誘導コイルユニットにおける磁気機能ユニットとは別の一端に設けられるとともに、前記磁気誘導ユニットは、磁気機能ユニットと並行し誘導コイルユニットに相対して運動する。また、前記磁気誘導ユニットは、少なくとも２つ間隔を空けて配列された磁性部品によって構成され、第３磁性部品及び第４磁性部品とそれぞれ定義される。さらに、第３磁性部品、第４磁性部品は２つの磁極が相対している、つまり磁性部品における左右の磁極軸と運動方向は平行状態である。さらに、第３磁性部品、第４磁性部品は、磁気機能ユニットにおける隣り合う第２磁性部品、第１磁性部品と第１磁性部品、第２磁性部品の間の位置にそれぞれ対応するとともに、前記第３磁性部品、第４磁性部品の両端における磁極表面の延長線は、第１磁性部品、第２磁性部品における磁極の異なる両側の表面の延長線と重なる。さらに、第３磁性部品、第４磁性部品と隣り合う磁極は、同極が隣り合う状態であるとともに、磁気機能ユニットの第１磁性部品、第２磁性部品の異極と相対する。
【００１２】
前記感応スイッチモジュールの前記誘導コイルユニットに対応するコイル軸のコイル上には感応ユニットが設けられ、前記感応スイッチモジュールにおける第１磁性部品、第２磁性部品に対応して相対変位しコイルに入る一側には、前記感応ユニットを検出することができる導電検出ユニットがそれぞれ設けられるとともに、第１磁性部品、第２磁性部品に対応して相対変位しコイルから離れる一側には、前記感応ユニットを検出することができる電源断検出ユニットがそれぞれ設けられることにより、コイルと負荷の間における導通または遮断の動作信号を制御することができる。
【００１３】
さらに、前記磁気機能ユニットの第１磁性部品がＮ極磁極で誘導コイルユニットに対応する場合、第３磁性部品、第４磁性部品は、Ｓ極磁極で相対するとともに、前記第１磁性部品のＮ極磁極に対応する。第２磁性部品がＳ極磁極で誘導コイルユニットに対応する場合、第３磁性部品、第４磁性部品は、Ｎ極磁極で相対するとともに、前記第２磁性部品のＳ極磁極に対応する。
【００１４】
インタラクティブ電磁装置は、誘導コイルユニットと、磁気機能ユニットと、磁気誘導ユニットと、感応スイッチモジュールと、からなる
【００１５】
前記誘導コイルユニットは、少なくとも１つのコイルを備える。
【００１６】
前記磁気機能ユニットは、誘導コイルユニットの一端に設けられるとともに、前記磁気機能ユニットは、前記誘導コイルユニットに相対して作動し、発電作用を生じさせることができる、さらに、前記磁気機能ユニットは、少なくとも２つ間を空けて配列された磁性部品によって構成され、それは、第１磁性部品及び第２磁性部品とそれぞれ定義される。さらに、第１磁性部品、第２磁性部品は、２つの磁極が並列されている、つまり、上下の磁極軸と運動方向は垂直に交差した状態であり、さらに、第１磁性部品、第２磁性部品によって、すべての磁極は前記誘導コイルユニットのコイル軸に対応するとともに、第１磁性部品、第２磁性部品と隣り合う磁極は異極配列している。
【００１７】
磁気誘導ユニットは、誘導コイルユニットにおける磁気機能ユニットとは別の一端に設けられるとともに、前記磁気誘導ユニットは、磁気機能ユニットと並行し誘導コイルユニットに相対して運動する。また、前記磁気誘導ユニットは、少なくとも２つ間隔を空けて配列された磁性部品によって構成され、第３磁性部品及び第４磁性部品とそれぞれ定義される。さらに、第３磁性部品、第４磁性部品は２つの磁極が相対している、つまり磁性部品における左右の磁極軸と運動方向は平行状態である。さらに、第３磁性部品、第４磁性部品は、磁気機能ユニットにおける隣り合う第２磁性部品、第１磁性部品と第１磁性部品、第２磁性部品の間の位置にそれぞれ対応するとともに、前記第３磁性部品、第４磁性部品の両端の磁極表面の延長線は、第１磁性部品、第２磁性部品における磁極の異なる両側の表面の延長線と重なる。さらに、第３磁性部品、第４磁性部品と隣り合う磁極は、同極が隣り合う状態であるとともに、磁気機能ユニットの第１磁性部品、第２磁性部品の同極と相対する。
【００１８】
前記感応スイッチモジュールの前記誘導コイルユニットに対応するコイル軸のコイル上には感応ユニットが設けられ、前記感応スイッチモジュールにおける磁気機能ユニットの第１磁性部品、第２磁性部品が変位しコイルに入る一側には、前記感応ユニットを検出することができる電源断検出ユニットがそれぞれ設けられ、第１磁性部品、第２磁性部品のコイルから離れる一側には、前記感応ユニットを検出することができる導電検出ユニットがそれぞれ設けられることにより、コイルと負荷の間における導通または遮断の動作信号を制御することができる。
【００１９】
さらに、前記磁気機能ユニットの第１磁性部品がＮ極磁極で誘導コイルユニットに対応する場合、第３磁性部品、第４磁性部品は、Ｎ極磁極で相対するとともに、前記第１磁性部品のＮ極磁極に対応する。第２磁性部品がＳ極磁極で誘導コイルユニットに対応する場合、第３磁性部品、第４磁性部品は、Ｓ極磁極で相対するとともに、前記第２磁性部品のＳ極磁極に対応する。
【００２０】
インタラクティブ電磁装置は、誘導コイルユニットと、磁気機能ユニットと、磁気誘導ユニットと、感応スイッチモジュールと、からなる。
【００２１】
前記誘導コイルユニットは、少なくとも１つのコイルを備える。
【００２２】
前記磁気機能ユニットは、誘導コイルユニットの一端に設けられるとともに、前記磁気機能ユニットは、前記誘導コイルユニットに相対して作動し、発電作用を生じさせることができる。さらに、前記磁気機能ユニットは、少なくとも２つ間を空けて配列された磁性部品によって構成され、それは、第１磁性部品及び第２磁性部品とそれぞれ定義される。さらに、第１磁性部品、第２磁性部品は、２つの磁極が並列されている、つまり、上下の磁極軸と運動方向は、垂直に交差した状態であり、第１磁性部品、第２磁性部品によって、すべての磁極は前記誘導コイルユニットのコイル軸に対応するとともに、第１磁性部品、第２磁性部品と隣り合う磁極は異極配列している。
【００２３】
磁気誘導ユニットは、誘導コイルユニットにおける磁気機能ユニットとは別の一端に設けられるとともに、前記磁気誘導ユニットは、磁気機能ユニットと並行し誘導コイルユニットに相対して運動する。また、前記磁気誘導ユニットは、少なくとも２つ間隔を空けて配列された磁性部品によって構成され、第３磁性部品及び第４磁性部品とそれぞれ定義される。さらに、第３磁性部品、第４磁性部品は２つの磁極が相対している、つまり磁性部品における左右の磁極軸と運動方向は平行状態である。さらに、第３磁性部品、第４磁性部品は、磁気機能ユニットにおける隣り合う第２磁性部品、第１磁性部品と第１磁性部品、第２磁性部品の間の位置にそれぞれ対応するとともに、前記第３磁性部品、第４磁性部品の両端の磁極表面の延長線は、第１磁性部品、第２磁性部品における磁極の異なる両側の表面の延長線と重なり、隣り合う第３磁性部品、第４磁性部品の磁極は、異極が隣り合う状態である。さらに、第１磁性部品がＮ極磁極で誘導コイルユニットに対応する場合、第３磁性部品は、Ｓ極磁極で第４磁性部品のＮ極磁極に対応し、第２磁性部品がＳ極磁極で誘導コイルユニットに対応する場合、第３磁性部品は、Ｎ極磁極で第４磁性部品のＳ極磁極に相対する。
【００２４】
前記感応スイッチモジュールの前記誘導コイルユニットに対応するコイル軸のコイル上には感応ユニットが設けられ、前記感応スイッチモジュールにおける第１磁性部品に対応して変位しコイルに入り、離れる両側には、感応ユニットを検出することができる電源断検出ユニットがそれぞれ設けられる。第１磁性部品のＮ極磁極の中心には、感応ユニットを検出することができる導電検出ユニットが設けられるとともに、第２磁性部品における変位しコイルに入り、離れる両側には、感応ユニットを検出することができる導電検出ユニットがそれぞれ設けられる。さらに、第２磁性部品のＳ極磁極の中心には、感応ユニットを検出することができる電源断検出ユニットが設けられることにより、コイルと負荷の間における導通または遮断の動作信号を制御することができる。
【００２５】
インタラクティブ電磁装置は、誘導コイルユニットと、磁気機能ユニットと、磁気誘導ユニットと、感応スイッチモジュールと、からなる
【００２６】
前記誘導コイルユニットは、少なくとも１つのコイルを備える。
【００２７】
前記磁気機能ユニットは、誘導コイルユニットの一端に設けられるとともに、前記磁気機能ユニットは、前記誘導コイルユニットに相対して作動し、発電作用を生じさせることができる。さらに、前記磁気機能ユニットは、少なくとも２つ間を空けて配列された磁性部品によって構成され、それは、第１磁性部品及び第２磁性部品とそれぞれ定義される。さらに、第１磁性部品、第２磁性部品は、２つの磁極が並列されている、つまり、上下の磁極軸と運動方向は、垂直に交差した状態であり、第１磁性部品、第２磁性部品によって、すべての磁極は前記誘導コイルユニットのコイル軸に対応するとともに、第１磁性部品、第２磁性部品と隣り合う磁極は異極配列している。
【００２８】
磁気誘導ユニットは、誘導コイルユニットにおける磁気機能ユニットとは別の一端に設けられるとともに、前記磁気誘導ユニットは、磁気機能ユニットと並行し誘導コイルユニットに相対して運動する。また、前記磁気誘導ユニットは、少なくとも２つ間隔を空けて配列された磁性部品によって構成され、第３磁性部品及び第４磁性部品とそれぞれ定義される。さらに、第３磁性部品、第４磁性部品は２つの磁極が相対している、つまり磁性部品における左右の磁極軸と運動方向は平行状態である。さらに、第３磁性部品、第４磁性部品は、磁気機能ユニットにおける隣り合う第２磁性部品、第１磁性部品と第１磁性部品、第２磁性部品の間の位置にそれぞれ対応するとともに、前記第３磁性部品、第４磁性部品の両端の磁極表面の延長線は、第１磁性部品、第２磁性部品における磁極の異なる両側の表面の延長線と重なり、隣り合う第３磁性部品、第４磁性部品の磁極は、異極が隣り合う状態である。さらに、第１磁性部品がＮ極磁極で誘導コイルユニットに対応する場合、第３磁性部品は、Ｎ極磁極で第４磁性部品のＳ極磁極に対応し、第２磁性部品がＳ極磁極で誘導コイルユニットに対応する場合、第３磁性部品は、Ｓ極磁極で第４磁性部品のＮ極磁極に相対する。
【００２９】
前記感応スイッチモジュールの前記誘導コイルユニットに対応するコイル軸のコイル上には感応ユニットが設けられ、前記感応スイッチモジュールにおける第１磁性部品に対応して変位しコイルに入り、コイルから離れる両側には、感応ユニットを検出することができる導電検出ユニットがそれぞれ設けられる。第１磁性部品のＮ極磁極の中心には、感応ユニットを検出することができる電源断検出ユニットが設けられるとともに、第２磁性部品における変位しコイルに入り、コイルから離れる両側には、感応ユニットを検出することができる電源断検出ユニットがそれぞれ設けられる。さらに、第２磁性部品のＳ極磁極の中心には、感応ユニットを検出することができる導電検出ユニットが設けられることにより、コイルと負荷の間における導通または遮断の動作信号を制御することができる。
【発明の効果】
【００３０】
このように、本発明のインタラクティブ電磁装置は、上述の技術手段により具体的に実現することができ、一側に発電用の磁気機能ユニットが設けられるとともに他側に導引作用を生じさせる磁気誘導ユニットが設けられた誘導コイルユニットを利用して、さらに、異なる位置に配置した感応スイッチモジュールを組み合わせることで、コイルと負荷の間における遮断と導通の動作信号を制御することができる。このように、誘導コイルユニットの一端のみが発電作用を生じさせることのできる磁気機能ユニットを備えることで、装置全体が負荷する場合、単一の逆向き磁気抵抗のみを備え、効果的に運動エネルギーの損失を抑えることができるとともに、磁気誘導ユニットは、順方向に変位させる磁気アシストを生じさせることができることで、運転速度を速める効果が生まれる。さらに、そのエネルギーの変換率を向上させることにより、その付加価値は大幅に高まるとともに、経済効率が向上する。
【００３１】
本発明の構成、特徴、その他の目的について、審査委員がさらに理解できるように、以下に本発明の好ましい実施例を挙げるとともに、図と組み合わせて詳しく説明し、同時に、上述の技術分野を熟知した技術者が具体的に実施できるようにする。
【図面の簡単な説明】
【００３２】
【図１】本発明のインタラクティブ電磁装置における実施例１の構造を示した図であり、前記実施例における各ユニットの相対関係を説明する。
【図２Ａ】本発明の実施例１の第１導通における動作を示した図である。
【図２Ｂ】本発明の実施例１の第１導通における動作を示した図である。
【図２Ｃ】本発明の実施例１の第１導通における動作を示した図である。
【図２Ｄ】本発明の実施例１の第１導通における動作を示した図である。
【図３Ａ】本発明の実施例１の第２遮断における動作を示した図である。
【図３Ｂ】本発明の実施例１の第２遮断における動作を示した図である。
【図４Ａ】本発明の実施例１の第３導通における動作を示した図である。
【図４Ｂ】本発明の実施例１の第３導通における動作を示した図である。
【図４Ｃ】本発明の実施例１の第３導通における動作を示した図である。
【図４Ｄ】本発明の実施例１の第３導通における動作を示した図である。
【図５Ａ】本発明の実施例１の第４遮断における動作を示した図である。
【図５Ｂ】本発明の実施例１の第４遮断における動作を示した図である。
【図６】本発明のインタラクティブ電磁装置における実施例２の構造を示した図であり、前記実施例における各ユニットの相対関係を説明する。
【図７】本発明のインタラクティブ電磁装置における実施例３の構造を示した図であり、前記実施例における各ユニットの相対関係を説明する。
【図８】本発明のインタラクティブ電磁装置における実施例４の構造を示した図であり、前記実施例における各ユニットの相対関係を説明する。
【発明を実施するための形態】
【００３３】
本発明は、インタラクティブ電磁装置であり、付属図に例示された本発明の具体的な実施例及びその構成部品における、前と後ろ、左と右、頂部と底部、上部と下部、水平と垂直に関するすべての參考例は、説明しやすくするためのみに用いられるものであって、本発明を制限するものではないとともに、その構成部品は、いかなる位置または空間方向にも制限されない。図と説明書において指定された寸法は、本発明の特許請求の保護範囲内から離れない場合、本発明の具体的な実施例の設計と必要に基づいて変更することができるものとする。
【００３４】
本発明のインタラクティブ電磁装置の構成は、図１に示す通りであり、前記電磁裝置は、磁気機能ユニット１０と、磁気機能ユニット１０と間隔を置いて平行する磁気誘導ユニット２０と、磁気機能ユニット１０と磁気誘導ユニット２０の間に設けられる誘導コイルユニット３０と、感応スイッチモジュール４０と、からなる。そのうち、前記誘導コイルユニット３０は、磁気機能ユニット１０及び磁気誘導ユニット２０とともに、相対回転または線形運動を生じさせることができ、感応スイッチモジュール４０は、誘導コイルユニット３０と負荷の導通と非導通を制御することができる。
【００３５】
本発明のインタラクティブ電磁装置の実施例１における詳細な構成は、參照する図１に示す。そのうち、磁気機能ユニット１０は、少なくとも２つ間隔を空けて配列された磁性部品１１、磁性部品１２によって構成され、第１磁性部品１１及び第２磁性部品１２とそれぞれ定義されるとともに、第１磁性部品１１、第２磁性部品１２の上下は、Ｎ極磁極１１１、Ｎ極磁極１２１及びＳ極磁極１１２、Ｓ極磁極１２２とそれぞれ定義される。さらに、第１磁性部品１１、第２磁性部品１２は、２つの磁極が並列している、つまり上下の磁極軸と運動方向が垂直に交差した状態である。さらに、第１磁性部品１１、第２磁性部品１２によって、すべての磁極は前記誘導コイルユニット３０のコイル軸に対応し、発電作用を生じさせるとともに、隣り合う第１磁性部品１１、第２磁性部品１２の磁極は、異極配列している、つまり第１磁性部品１１は、Ｎ極磁極１１１で誘導コイルユニット３０に対応する場合、第２磁性部品１２は、Ｓ極磁極１２２で誘導コイルユニット３０に対応する。
【００３６】
さらに、磁気誘導ユニット２０は、少なくとも２つ間隔を空けて配列された磁性部品２３、磁性部品２４によって構成され、第３磁性部品２３及び第４磁性部品２４とそれぞれ定義されるとともに、第３磁性部品２３、第４磁性部品２４の左右は、Ｎ極磁極２３１、Ｎ極磁極２４１及びＳ極磁極２３２、Ｓ極磁極２４２とそれぞれ定義される。さらに、第３磁性部品２３、第４磁性部品２４によって２つの磁極は相対する、つまり磁性部品の左右の磁極軸と運動方向は平行した状態であることで、発電作用を生じさせない。しかしながら、磁気機能ユニット１０の第１磁性部品１１、第２磁性部品１２における磁力線の流れを誘導することができ、さらに第３磁性部品２３、第４磁性部品２４と隣り合う磁極は、本実施例において同極が隣り合う状態であるとともに、磁気機能ユニット１０の第１磁性部品１１、第２磁性部品１２の異極と相対している。つまり、第１磁性部品１１は、Ｎ極磁極１１１で誘導コイルユニット３０に対応する場合、第３磁性部品２３、第４磁性部品２４は、Ｓ極磁極２３２、Ｓ極磁極２４２で相対するとともに、前記第１磁性部品１１のＮ極磁極１１１に対応する。第２磁性部品１２は、Ｓ極磁極１２２で誘導コイルユニット３０に対応する場合、第３磁性部品２３、第４磁性部品２４は、Ｎ極磁極２３１、Ｎ極磁極２４１で相対するとともに、前記第２磁性部品１２のＳ極磁極１２２に対応する。さらに、前記磁気誘導ユニット２０と前記磁気機能ユニット１０は、同時に変位することができ、前記磁気誘導ユニット２０の第３磁性部品２３、第４磁性部品２４は、磁気機能ユニット１０における隣り合う第２磁性部品１２、第１磁性部品１１と第１磁性部品１１、第２磁性部品１２の間の位置にそれぞれ対応するとともに、磁気誘導ユニット２０の第３磁性部品２３、第４磁性部品２４の両端における磁極表面の延長線は、磁気機能ユニット１０の第１磁性部品１１、第２磁性部品１２における磁極の異なる両側の表面の延長線と重なる。
【００３７】
さらに、前記誘導コイルユニット３０は、磁気機能ユニット１０と磁気誘導ユニット２０の間に設けられるとともに、前記誘導コイルユニット３０は、コイル３１によって構成され、前記コイル３１の両端は、磁気機能ユニット１０と磁気誘導ユニット２０にそれぞれ対応する、つまりコイル３１の軸と運動方向は、垂直に交差した状態である。
【００３８】
さらに、前記感応スイッチモジュール４０は、少なくとも１つの導電検出ユニット４１と、電源断検出ユニット４２と、感応ユニット４５によって構成される。そのうち、前記感応ユニット４５は、誘導コイルユニット３０におけるコイル３１の軸が磁気機能ユニット１０に対応する端部に設けられ、感応スイッチモジュール４０の導電検出ユニット４１は、磁気機能ユニット１０における第１磁性部品１１、第２磁性部品１２が変位し、コイル３１に入る一側に設けられる。電源断検出ユニット４２は、磁気機能ユニット１０における第１磁性部品１１、第２磁性部品１２が変位し、コイル３１を離れる一側に設けられ、第１磁性部品１１、第２磁性部品１２上の導電検出ユニット４１または電源断検出ユニット４２とコイル３１上の感応ユニット４５によって検出するのに用いられ、第１磁性部品１１、第２磁性部品１２が変位し、前記コイル３１の範囲内に入るまたは前記コイル３１の範囲内から離れると、コイル３１と負荷の間の導通または遮断の動作信号を制御する。
【００３９】
このようにして、効果的に磁気抵抗を抑えるとともに、磁気アシストを形成することで、運転速度を速め、エネルギー変換効率を向上させることのできるインタラクティブ電磁装置は構成される。
【００４０】
さらに、本発明の電磁裝置が実際に使用される場合、効果的に磁気抵抗を抑えるとともに、磁気アシストを生じさせることで、運動エネルギーの損失を抑制する。その全体的なサイクルの動作は、図２から図５に示す通りである。まず、図２Ａから図２Ｄに示す通り、誘導コイルユニット３０に相対して移動する磁気機能ユニット１０と磁気誘導ユニット２０において、前記磁気機能ユニット１０の第１磁性部品１１は、コイル３１に入った状態であり、第１磁性部品１１上の感応スイッチモジュール４０の導電検出ユニット４１がコイル３１上の感応ユニット４５に対応する場合（図２Ａに図示）、前記コイル３１と負荷を制御して導通状態にすることができる。第１磁性部品１１のＮ極磁極１１１がコイル３１の中心に向かって接近し始めると（図２Ｂに図示）、コイル３１は、導通後に磁極変化が生じ、Ｎ極磁極が形成されることで、同極反発逆転作用が生じることにより、コイル３１の他端には、同時にＳ極磁極が形成されるが、磁気誘導ユニット２０の第４磁性部品２４は、Ｓ極磁極２４２であるため、同極反発前進作用を生じさせることができ、さらに磁気誘導ユニット２０と磁気機能ユニット１０の順方向の変位を促進する磁気アシストを生じさせる。さらに、図２Ｃに示すように、コイル３１に対する軸が第１磁性部品１１におけるＮ極磁極１１１の中心に対応する場合、平衡無トルク状態が形成され、最大の発電量が生じる。第１磁性部品１１のＮ極磁極１１１がコイル３１の中心を越える場合（図２Ｄに図示）、コイル３１の対応する一端は、変化しＳ極磁極になることで、異極吸引逆引作用が生じ、コイル３１の他端は、同時にＮ極磁極を形成するが、磁気誘導ユニット２０における他側の第３磁性部品２３は、Ｓ極磁極２３２であるため、このように異極吸引順引作用を生じさせることができ、さらに、磁気誘導ユニット２０と磁気機能ユニット１０を引っ張り順方向に変位させる磁気アシストが生じる。前記誘導コイルユニット３０の両端における一端のみが発電を切断する磁気機能ユニット１０を備えることで、電磁裝置全体は、単一の磁気抵抗のみを生じさせる。従来の吸引点が２つの磁気抵抗と比較すると、すでに効果的にエネルギーの損失が抑えられるとともに、前記誘導コイルユニット３０の他端は、発電を切断することのできない磁気誘導ユニット２０であるため、電磁裝置全体は、順方向の磁気アシストを生じさせることができ、従来の吸引点が２つの磁気抵抗と比較すると、運転速度を速めることができ、エネルギー変換効率が向上する。
【００４１】
さらに、第１磁性部品１１における他端の感応スイッチモジュール４０の電源断検出ユニット４２がコイル３１上の感応ユニット４５に対応する場合（図３Ａに図示）、磁気機能ユニット１０と誘導コイルユニット３０は離脱していると判定される。このように前記コイル３１と負荷を制御して遮断状態にすることができ、無負荷において誘導コイルユニット３０が磁気誘導ユニット２０に対して異極吸引逆引作用のある磁気抵抗を引き起こすのを防止することができるとともに、磁気機能ユニット１０が第１磁性部品１１から第２磁性部品１２まで変位する場合（図３Ｂに図示）、上述で生じた磁気アシスト及び抑制された逆向き磁気抵抗の効果により、磁気ユニットの運転における運動エネルギーの損失を抑えることができ  慣性力によって作動する。
【００４２】
さらに、図４Ａから図４Ｄに示す通り、誘導コイルユニット３０に相対して移動する磁気機能ユニット１０と磁気誘導ユニット２０において、前記磁気機能ユニット１０の第２磁性部品１２は、誘導コイルユニット３０におけるコイル３１の範囲内に入った状態であり、第２磁性部品１２上の感応スイッチモジュール４０の導電検出ユニット４１がコイル３１上の感応ユニット４５に対応する場合（図４Ａに図示）、前記コイル３１と負荷を制御して導通状態にすることができる。第２磁性部品１２のＳ極磁極１２２がコイル３１の中心に向かって接近し始めると（図４Ｂに図示）、コイル３１は、導通後に磁極変化が生じ、Ｓ極磁極が形成されることで、同極反発逆転作用が生じることにより、コイル３１の他端には、同時にＮ極磁極が形成されるが、磁気誘導ユニット２０の第３磁性部品２３は、Ｎ極磁極２３１であるため、このように同極反発前進作用を生じさせることができ、さらに磁気誘導ユニット２０と磁気機能ユニット１０を順方向に変位させる磁気アシストが生じる。さらに、図４Ｃに示す通り、コイル３１に対する軸が第２磁性部品１２におけるＳ極磁極１２２の中心に対応する場合、平衡無トルク状態が形成され、最大の発電量が生じる。第２磁性部品１２のＳ極磁極１２２がコイル３１の中心を越える場合（図４Ｄに図示）、コイル３１における対応端は、変化しＮ極磁極になることで、異極吸引逆引作用が生じ、コイル３１の他端は、同時にＳ極磁極を形成するが、磁気誘導ユニット２０における他側の第４磁性部品２４は、Ｎ極磁極２４１であるため、このように異極吸引順引作用を生じさせることができ、さらに磁気誘導ユニット２０と磁気機能ユニット１０を引っ張り順方向に変位させる磁気アシストが生じる。前記誘導コイルユニット３０の両端における一端のみが発電を切断する磁気機能ユニット１０を備えることで、電磁裝置全体は、単一の磁気抵抗のみを生じさせる。従来の吸引点が２つの磁気抵抗と比較すると、すでに効果的にエネルギーの損失が抑えられるとともに、前記誘導コイルユニット３０の他端は、発電を切断することのできない磁気誘導ユニット２０であるため、電磁裝置全体は、順方向の磁気アシストを生じさせることができ、従来の吸引点が２つの磁気抵抗と比較すると、運転速度を速めることができ、エネルギー変換効率が向上する。
【００４３】
最後に、第２磁性部品１２における他端の感応スイッチモジュール４０の電源断検出ユニット４２がコイル３１上の感応ユニット４５に対応する場合（図５Ａに図示）、磁気機能ユニット１０と誘導コイルユニット３０は離脱していると判定される。このように、前記コイル３１と負荷を制御して遮断状態にすることができ、無負荷において誘導コイルユニット３０が磁気誘導ユニット２０に異極吸引逆引作用のある磁気抵抗を引き起こすのを防止することができるとともに、磁気機能ユニット１０が第２磁性部品１２から第１磁性部品１１まで変位する場合（図５Ｂに図示）、上述で生じた磁気アシスト及び抑制された逆向き磁気抵抗の効果により、磁気ユニットの運転における運動エネルギーの損失を抑えることができ、慣性力によって作動する。
【００４４】
要約すると、図２Ａから図５Ｂに示す全体的なサイクルは、電磁裝置全体が単一の磁気抵抗のみを備えることにより、従来の吸引点が２つの磁気抵抗と比較すると、効果的に逆力を抑えることができると同時に、磁気誘導ユニット２０及び感応スイッチモジュール４０を利用することで、順力を生じさせることができ、運動エネルギーの損失を効果的に防ぐだけでなく、さらに運転速度を速めることによって、全体的なエネルギーの変換率が向上する。
【００４５】
図６に示す通り、本発明のインタラクティブ電磁装置の実施例２及び本実施例と、上述の実施例１が異なる点として、前記磁気誘導ユニット２０における隣り合う第３磁性部品２３、第４磁性部品２４の磁極は、同極が隣り合うとともに、磁気機能ユニット１０の第１磁性部品１１、第２磁性部品１２は、同極が相対する。つまり、第１磁性部品１１がＮ極磁極１１１で誘導コイルユニット３０に対応する場合、第３磁性部品２３、第４磁性部品２４は、Ｎ極磁極２３１、Ｎ極磁極２４１で相対するとともに、前記第１磁性部品１１のＮ極磁極１１１に対応する。第２磁性部品１２がＳ極磁極１２２で誘導コイルユニット３０に対応する場合、第３磁性部品２３、第４磁性部品２４は、Ｓ極磁極２３２、Ｓ極磁極２４２で相対するとともに、前記第２磁性部品１２のＳ極磁極１２２に対応する。さらに、感応スイッチモジュール４０の電源断検出ユニット４２は、磁気機能ユニット１０における第１磁性部品１１、第２磁性部品１２が変位しコイル３１に入る一側に設けられ、導電検出ユニット４１は、第１磁性部品１１、第２磁性部品１２のコイル３１から離れる一側に設けられることにより、第１磁性部品１１、第２磁性部品１２上の異なる位置の電源断検出ユニット４２または導電検出ユニット４１とコイル３１上の感応ユニット４５によって検出することができるとともに、コイル３１と負荷の間における遮断と導通の動作信号を制御する。このように、効果的に磁気抵抗を抑制することができるとともに、順方向へ変位動作させる磁気アシストを生じさせるインタラクティブ電磁装置が構成される。
【００４６】
さらに、図７に示す通り、本発明のインタラクティブ電磁装置の実施例３及び本実施例と、上述の実施例１が異なる点として、前記磁気誘導ユニット２０における隣り合う第３磁性部品２３、第４磁性部品２４の磁極は、異極が隣り合う、つまり、第１磁性部品１１がＮ極磁極１１１で誘導コイルユニット３０に対応する場合、第３磁性部品２３は、Ｓ極磁極２３２で第４磁性部品２４のＮ極磁極２４１に対応する。第２磁性部品１２がＳ極磁極１２２で誘導コイルユニット３０に対応する場合、第３磁性部品２３は、Ｎ極磁極２３１で第４磁性部品２４のＳ極磁極２４２に相対する。さらに、感応スイッチモジュール４０における第１磁性部品１１が変位してコイル３１に入り、コイル３１から離れる両側には、電源断検出ユニット４２がそれぞれ設けられ、導電検出ユニット４１は、第１磁性部品１１のＮ極磁極１１１の中央に設けられる。さらに、第２磁性部品１２における変位しコイル３１に入り、コイル３１から離れる両側には、導電検出ユニット４１がそれぞれ設けられ、電源断検出ユニット４２は、第２磁性部品１２のＳ極磁極１２２の中央に設けられることで、第１磁性部品１１、第２磁性部品１２上の異なる位置の電源断検出ユニット４２または導電検出ユニット４１とコイル３１上の感応ユニット４５によって検出することができるとともに、コイル３１と負荷の間における遮断と導通の動作信号を制御する。このように、効果的に磁気抵抗を抑制することができるとともに、順方向へ変位動作させる磁気アシストを生じさせるインタラクティブ電磁装置が構成される。
【００４７】
図８に示す通り、本発明のインタラクティブ電磁装置の実施例４及び本実施例と、上述の実施例１が異なる点として、前記磁気誘導ユニット２０における隣り合う第３磁性部品２３、第４磁性部品２４の磁極は、異極が隣り合う、つまり、第１磁性部品１１がＮ極磁極１１１で誘導コイルユニット３０に対応する場合、第３磁性部品２３は、Ｎ極磁極２３１で第４磁性部品２４のＳ極磁極２４２に対応する。第２磁性部品１２がＳ極磁極１２２で誘導コイルユニット３０に対応する場合、第３磁性部品２３は、Ｓ極磁極２３２で第４磁性部品２４のＮ極磁極２４１に相対する。さらに、感応スイッチモジュール４０における第１磁性部品１１が変位しコイル３１に入り、コイル３１から離れる両側には、導電検出ユニット４１がそれぞれ設けられ、電源断検出ユニット４２は、第１磁性部品１１のＮ極磁極１１１の中央に設けられる。さらに、第２磁性部品１２における変位しコイル３１に入り、コイル３１から離れる両側には、電源断検出ユニット４２がそれぞれ設けられ、導電検出ユニット４１は、第２磁性部品１２のＳ極磁極１２２の中央に設けられることで、第１磁性部品１１、第２磁性部品１２上の異なる位置の導電検出ユニット４１または電源断検出ユニット４２とコイル３１上の感応ユニット４５によって検出することができるとともに、コイル３１と負荷の間の遮断と導通の動作信号を制御する。このように、効果的に磁気抵抗を抑制することができるとともに、順方向へ変位動作させる磁気アシストを生じさせるインタラクティブ電磁装置が構成される。
【００４８】
上述の説明の通り、本発明のインタラクティブ電磁装置は、一側が発電用の磁気機能ユニット１０に設けられるとともに他側が誘導作用を生じさせる磁気誘導ユニット２０に設けられる誘導コイルユニット３０を利用し、さらに、感応スイッチモジュール４０における磁気機能ユニット１０の第１磁性部品１１、第２磁性部品１２上の異なる位置に設けられた導電検出ユニット４１及び電源断検出ユニット４２と感応ユニット４５を組み合わせることによってコイル３１の位置を検出することができるとともに、コイル３１と負荷の間における遮断と導通の動作信号を制御する。このように、誘導コイルユニット３０の一端のみが発電作用を生じさせる磁気機能ユニット１０を備えることで、電磁裝置全体が負荷下において、単一の磁気抵抗のみを備え、従来の吸引点が２つの磁気抵抗と比較すると、効果的に運動エネルギーの損失を抑えることができ、さらに、磁気誘導ユニット２０が順方向に変位させる磁気アシストを生じさせることができ、さらに運転速度が速くなることで、効果的にエネルギー変換效率が向上する。
【００４９】
本発明は、創意工夫に富む創作であり、従来技術が直面していた問題を効果的に解決するだけでなく、さらに大幅に効果を高めることを理解できるものとする。上述の実施例と図は、本発明の製品形態とデザインを限定するものではなく、本技術分野に属するいかなる一般の技術者も、本発明に加えられた適当な変化または修正はすべて、本発明の特許請求範囲内とみなすものとする。
【符号の説明】
【００５０】
１０      磁気機能ユニット                                
１１      第１磁性部品
１１１    Ｎ極磁極                              
１１２    Ｓ極磁極
１２      第２磁性部品                            
１２１    Ｎ極磁極
１２２    Ｓ極磁極                              
２０      磁気誘導ユニット
２３      第３磁性部品                          
２３１    Ｎ極磁極
２３２    Ｓ極磁極                                
２４      第４磁性部品
２４１    Ｎ極磁極                                
２４２    Ｓ極磁極
３０      誘導コイルユニット                            
３１      コイル
４０      感応スイッチモジュール                        
４１      導電検出ユニット
４２      電源断検出ユニット                        
４５      感応ユニット
【図１】
2018538781.tif 000003
【図２Ａ】
2018538781.tif 000004
【図２Ｂ】
2018538781.tif 000005
【図２Ｃ】
2018538781.tif 000006
【図２Ｄ】
2018538781.tif 000007
【図３Ａ】
2018538781.tif 000008
【図３Ｂ】
2018538781.tif 000009
【図４Ａ】
2018538781.tif 000010
【図４Ｂ】
2018538781.tif 000011
【図４Ｃ】
2018538781.tif 000012
【図４Ｄ】
2018538781.tif 000013
【図５Ａ】
2018538781.tif 000014
【図５Ｂ】
2018538781.tif 000015
【図６】
2018538781.tif 000016
【図７】
2018538781.tif 000017
【図８】
2018538781.tif 000018
【国際調査報告】
2018538781.tif 000019
2018538781.tif 000020
2018538781.tif 000021
2018538781.tif 000022
2018538781.tif 000023
2018538781.tif 000024